(57)【要約】【課題】操作装置が誤って操作されてしまうことを防止することができるとともに、操作を容易化させることができるエレベータ呼び登録装置を得る。【解決手段】かご１内に設けられ、操作されることによりかご１の呼び登録が行われる押ボタン５と、押ボタン５から検出範囲内に位置する利用者の指を検出する人体センサ６と、人体センサ６が利用者の指を検出することにより、検出範囲内に利用者の指が位置する押ボタン５に対応した内容のアナウンスを行う音声発生装置４とを備えている。【選択図】図１
2012025517.tif 000002
【特許請求の範囲】
【請求項１】
乗場またはかご内に設けられ、操作されることにより呼び登録が行われる操作装置と、
前記操作装置から検出範囲内に位置する被検出体を検出する検出装置と、
前記検出装置が前記被検出体を検出することにより、前記操作装置に対応した内容のアナウンスを行う音声発生装置とを備えたことを特徴とするエレベータ呼び登録装置。
【請求項２】
前記検出装置は、前記操作装置内に配置されていることを特徴とする請求項１に記載のエレベータ呼び登録装置。
【発明の詳細な説明】
【技術分野】
【０００１】
この発明は、音声発生装置を備えたエレベータ呼び登録装置に関する。
【背景技術】
【０００２】
従来、かご内に設けられ、操作されることによりかごの行先登録が行われるタッチパネルと、アナウンスが行われる音声発生装置とを備えたエレベータ呼び登録装置が知られている。タッチパネルには、各階に対応したボタンが設けられている。音声発生装置は、利用者がタッチパネルのボタンを操作することにより、操作されたボタンが選択された旨のアナウンスを行う。その後、操作されたボタンが所定の時間内に再び操作されると、操作されたボタンに対応する階へのかごの行先登録が行われる。これにより、利用者が視覚障害者である場合であっても、目的階とは異なる階に対応するボタンが誤って押されてしまうことが防止される（例えば、特許文献１参照）。
【先行技術文献】
【特許文献】
【０００３】
【特許文献１】特開２００９−７０７４号公報
【発明の概要】
【発明が解決しようとする課題】
【０００４】
しかしながら、利用者は、かごの行先登録が行われるためにボタンの操作を２度も行わなければならず、操作が面倒であるという問題点があった。
【０００５】
この発明は、操作装置が誤って操作されてしまうことを防止することができるとともに、操作を容易化させることができるエレベータ呼び登録装置を提供するものである。
【課題を解決するための手段】
【０００６】
この発明に係るエレベータ呼び登録装置は、乗場またはかご内に設けられ、操作されることにより呼び登録が行われる操作装置と、前記操作装置から検出範囲内に位置する被検出体を検出する検出装置と、前記検出装置が前記被検出体を検出することにより、前記操作装置に対応した内容のアナウンスを行う音声発生装置とを備えている。
【発明の効果】
【０００７】
この発明に係るエレベータ呼び登録装置によれば、検出装置が操作装置から検出範囲内に位置する被検出体を検出し、音声発生装置は検出装置が被検出体を検出することにより操作装置に対応した内容のアナウンスを行い、さらに、操作装置が操作されることにより呼び登録が行われるので、操作装置が誤って操作されてしまうことを防止することができるとともに、操作を容易化させることができる。
【図面の簡単な説明】
【０００８】
【図１】この発明の実施の形態１に係るエレベータ呼び登録装置を示すブロック図である。
【図２】図１のかご操作盤を示す正面図である。
【図３】図２の４階に対応する階ボタンを示す正面図である。
【図４】図１のエレベータ呼び登録装置の動作を示すフローチャートである。
【発明を実施するための形態】
【０００９】
実施の形態１．
図１はこの発明の実施の形態１に係るエレベータ呼び登録装置を示すブロック図である。図において、エレベータ呼び登録装置は、昇降路を昇降するかご１の動作を制御する制御盤２と、かご１の内壁面に設けられ、操作されることによりかご１の呼び登録が行われるかご操作盤３と、かご１内に音声を発生させる音声発生装置４とを有している。制御盤２は、機械室（図示せず）に配置されている。
【００１０】
かご操作盤３は、かご１内の利用者に操作される押ボタン（操作装置）５と、押ボタン５から検出範囲内に位置する利用者の指（被検出体）を検出する人体センサ（検出装置）６と、押ボタン５および人体センサ６から信号が送られるかご操作盤制御部７とを有している。
【００１１】
押ボタン５は、かご１内の利用者に押ボタン５が操作されることにより、押ボタン５が操作されたことを示す信号をかご操作盤制御部７へ送る。人体センサ６は、人体センサ６が押ボタン５から検出範囲内に位置する利用者の指を検出することにより、押ボタン５から検出範囲内に利用者の指が位置することを示す信号をかご操作盤制御部７へ送る。
【００１２】
かご操作盤制御部７は、押ボタン５が操作されたことを示す信号が押ボタン５から送られることにより、押ボタン５が操作されたことを示す信号を制御盤２へ送る。また、かご操作盤制御部７は、押ボタン５から検出範囲内に利用者の指が位置することを示す信号が送られることにより、押ボタン５から検出範囲内に利用者の指が位置することを示す信号を制御盤２へ送る。
【００１３】
人体センサ６は、測距センサ（図示せず）を有している。人体センサ６は、測距センサにより測定された利用者の指までの距離を用いて、押ボタン５から検出範囲内に位置する利用者の指を検出する。具体的には、人体センサ６は、測距センサにより測定された押ボタン５から利用者の指までの距離が検出範囲として予め設定された距離よりも小さいときに、検出範囲内に利用者の指が位置するとする。一方、人体センサ６は、測距センサにより測定された押ボタン５から利用者の指までの距離が検出範囲として予め設定された距離よりも大きいときに、検出範囲内に利用者の指が存在しないとする。
【００１４】
音声発生装置４は、かご１内に配置されアナウンスを行うスピーカ８と、スピーカ８を駆動させる音声制御部９とを有している。音声制御部９は、制御盤２から信号が送られるようになっている。
【００１５】
制御盤２は、押ボタン５から検出範囲内に利用者の指が位置することを示す信号がかご操作盤制御部７から送られることにより、押ボタン５から検出範囲内に利用者の指が位置することを示す信号を音声制御部９へ送る。音声制御部９は、押ボタン５から検出範囲内に利用者の指が位置することを示す信号が制御盤２から送られることにより、利用者の指が検出範囲内に位置する押ボタン５に対応した内容のアナウンスをスピーカ８に行わせる。
【００１６】
制御盤２は、押ボタン５が操作されたことを示す信号がかご操作盤制御部７から送られることにより、押ボタン５が操作されたことを示す信号を音声制御部９へ送る。音声制御部９は、押ボタン５が操作されたことを示す信号が制御盤２から送られることにより、操作された押ボタン５に対応する行先階についてのアナウンスをスピーカ８に行わせる。
【００１７】
図２は図１のかご操作盤３を示す正面図である。図において、押ボタン５は、各階に対応する複数の階ボタン５ａと、操作されることにより戸が移動して出入口が開く開ボタン５ｂと、操作されることにより戸が移動して出入口が閉じられる閉ボタン５ｃとを有している。
【００１８】
図３は図２の４階に対応する階ボタン５ａを示す正面図である。図において、人体センサ６は、４階に対応する階ボタン５ａ内に設けられている。人体センサ６は、その他の階に対応する階ボタン５ａ内にも設けられている。また、人体センサ６は、開ボタン５ｂ内および閉ボタン５ｃ内にも設けられている。
【００１９】
次に、エレベータ呼び登録装置の動作について説明する。図４は図１のエレベータ呼び登録装置の動作を示すフローチャートである。図において、利用者の指が階ボタン５ａに近づき、階ボタン５ａから検出範囲内に利用者の指が位置すると（ステップＳ１）、人体センサ６は階ボタン５ａから検出範囲内に位置する利用者の指を検出する（ステップＳ２）。
【００２０】
これにより、音声発生装置４は、検出範囲内に利用者の指が位置する階ボタン５ａに対応した内容のアナウンスを行う（ステップＳ３）。
【００２１】
その後、制御盤２は、検出範囲内に利用者の指が位置する階ボタン５ａが操作されたか否かを判定する（ステップＳ４）。
【００２２】
ステップＳ４で、検出範囲内に利用者の指が位置する階ボタン５ａが操作されたと制御盤２が判定すると、制御盤２により、行先階へのかご１の呼び登録が行われる（ステップＳ５）。
【００２３】
一方、ステップＳ４で、検出範囲内に利用者の指が位置する階ボタン５ａが操作されていないと制御盤２が判定すると、ステップＳ１へ進む。
【００２４】
ステップＳ５で制御盤２により行先階へのかご１の呼び登録が行われると、音声発生装置４は、行先階のアナウンスを行う（ステップＳ６）。
【００２５】
以上説明したように、この発明の実施の形態１に係るエレベータ呼び登録装置によれば、人体センサ６が押ボタン５から検出範囲内に位置する利用者の指を検出し、音声発生装置４は人体センサ６が利用者の指を検出することにより押ボタン５に対応した内容のアナウンスを行うので、押ボタン５が誤って操作されてしまうことを防止することができる。また、押ボタン５が一度操作されることによりかご１の呼び登録が行われるので、操作を容易化させることができる。
【００２６】
また、人体センサ６は、押ボタン５内に配置されているので、利用者の指が階ボタン５ａに近づくときに、利用者の指が人体センサ６に近づく。これにより、階ボタン５ａから検出範囲内に位置する利用者の指を確実に検出することができる。
【００２７】
なお、上記実施の形態１では、操作装置がかご１内に設けられる構成について説明したが、操作装置が乗場に設けられる構成であってもよい。この場合、音声発生装置は、乗場に音声を発生させる。
【００２８】
また、上記実施の形態１では、操作装置として押ボタン５を例に説明したが、これに限らず、例えば、タッチパネル等であってもよい。
【００２９】
また、上記実施の形態１では、検出装置として測距センサを有した人体センサ６を例に説明したが、検出装置は、測距センサに限らず、例えば、赤外線センサを有した人体センサであってもよい。この場合、検出装置は、利用者の指から放射される赤外線を受けることにより、検出範囲内に位置する利用者の指を検出する。
【符号の説明】
【００３０】
１  かご、２  制御盤、３  かご操作盤、４  音声発生装置、５  押ボタン（操作装置）、５ａ  階ボタン、５ｂ  開ボタン、５ｃ  閉ボタン、６  人体センサ（検出装置）、７  かご操作盤制御部、８  スピーカ、９  音声制御部。
【図１】
2012025517.tif 000003
【図２】
2012025517.tif 000004
【図３】
2012025517.tif 000005
【図４】
2012025517.tif 000006